(57)【特許請求の範囲】
【請求項１】
給湯を行う給湯装置と、該給湯装置から供給されて浴槽に貯められた湯を昇温させて追焚を行う追焚装置とを具備し、該追焚装置は該浴槽に該給湯装置を接続する給湯路と、該給湯路から分岐して該浴槽へと接続された追焚路と、該追焚路に設けられた追焚熱交換器と、該追焚熱交換器より上流の追焚路に設けられ追焚時に該追焚熱交換器に向かって該浴槽の湯を送るポンプとを有する追焚付給湯装置において、
該給湯路は該追焚路との分岐箇所よりも上流に設けられた排水口と、該排水口の下流で該分岐箇所よりも上流に設けられた開閉自在の給湯電磁弁と、該排水口の下流で該分岐箇所よりも上流に設けられ該給湯路の上流への温水の逆流を防止する逆止弁とを有し、
該給湯路の水抜きを行うときは、該排水口が開かれた状態で該給湯電磁弁を開弁し該ポンプを作動させて該給湯路の湯水を該浴槽へ排出させることを特徴とする追焚付給湯装置。
【請求項２】
前記ポンプは前記給湯装置から前記浴槽への給湯中に作動されることを特徴とする請求項１記載の追焚付給湯装置。
【発明の詳細な説明】
【０００１】
【発明の属する技術分野】
本発明は、給湯を行う給湯装置と、該給湯装置から供給され浴槽に貯められた湯を昇温させる追焚装置とを備えた追焚付給湯装置に関する。
【０００２】
【従来の技術】
従来、図２に示すように給湯装置Ｉと追焚装置ＩＩとを備えた追焚付給湯装置が知られている。給湯装置Ｉにおいて、ａは水が供給される給水路、ｂは給湯バーナｃにより加熱されて給水路ａからの水を昇温させる給湯熱交換器、ｄは給湯熱交換器ｂにより昇温されて生じた湯を浴槽ｅへと供給する給湯路、ｆは給湯路ｄに設けられ開かれたときに給湯路ｄ内の湯水を排出する排水口である。
【０００３】
追焚装置ＩＩにおいて、ｇは給湯路ｄから分岐して浴槽ｅへと接続された追焚路、ｈは追焚路ｇとの分岐位置より下流側の給湯路ｄに設けられ追焚時に浴槽ｅの湯水を給湯路ｄの下流から汲み上げて追焚路ｇに送るポンプ、ｉは追焚バーナｊにより加熱されて追焚路ｇ内の湯水を昇温させる追焚熱交換器、ｋは追焚路ｇとの分岐位置より上流の給湯路ｄに設けられ湯水が給湯路ｄの上流に逆流するのを防止する逆止弁である。
【０００４】
かかる構成の追焚付給湯装置によれば、給湯装置Ｉから浴槽ｅへ湯を供給するとき、一部の湯はポンプｈを介して給湯路ｄから浴槽ｅへと至り、残りの湯は途中から追焚路ｇに分岐して浴槽ｅへと至る。このときポンプｈ及び追焚熱交換器ｉは作動しない。追焚装置ＩＩが追焚を行うとき、ポンプｈが作動し、浴槽ｅの湯は給湯路ｄの下流側から追焚路ｇへ向かって送り込まれる。これとともに追焚熱交換器ｉも作動し、追焚路ｇに送り込まれた湯が昇温されてポンプｈにより再び浴槽ｅに戻される。
【０００５】
しかし、給湯路ｄと追焚路ｇとの分岐位置はポンプｈの排出側にあるので、ポンプｈを作動させると給湯路ｄの上流に向かって水圧が加えられ、給湯路ｄ内の水圧が過剰に大きくなり、逆止弁ｋの耐久性が低下してかかる逆流を回避できないおそれがある。また、給湯路ｄの清掃の際には給湯路ｄから湯水を排出する水抜きを行う必要があるが、排水口ｆを開いて自然排出するだけでは湯水を充分に排出できないおそれがある。
【０００６】
【発明が解決しようとする課題】
本発明はかかる不都合を解消して、給湯路の上流への湯水の逆流を確実に防止できるとともに給湯路の湯水を充分に排出できる追焚付給湯装置を提供することを目的とする。
【０００７】
【課題を解決するための手段】
前記課題を解決するための本発明の追焚付給湯装置は、給湯を行う給湯装置と、該給湯装置から供給されて浴槽に貯められた湯を昇温させて追焚を行う追焚装置とを具備し、該追焚装置は該浴槽に該給湯装置を接続する給湯路と、該給湯路から分岐して該浴槽へと接続された追焚路と、該追焚路に設けられた追焚熱交換器と、該追焚熱交換器より上流の追焚路に設けられ追焚時に該追焚熱交換器に向かって該浴槽の湯を送るポンプとを有する追焚付給湯装置において、該給湯路は該追焚路との分岐箇所よりも上流に設けられた排水口と、該排水口の下流で該分岐箇所よりも上流に設けられた開閉自在の給湯電磁弁と、該排水口の下流で該分岐箇所よりも上流に設けられ該給湯路の上流への温水の逆流を防止する逆止弁とを有し、該給湯路の水抜きを行うときは、該排水口が開かれた状態で該給湯電磁弁を開弁し該ポンプを作動させて該給湯路の湯水を該浴槽へ排出させることを特徴とする。
【０００８】
かかる構成の追焚付給湯装置によれば、ポンプを作動させて浴槽の湯を追焚路へと送り込み、追焚加熱手段により加熱された追焚熱交換器により昇温させてから再び浴槽へと送り込んで追焚が行われる。給湯路からの追焚路の分岐位置はポンプの吸入側にあるので、ポンプを作動させても該給湯路の上流に向かって水圧が加えられることはない。このため、給湯路に逆止弁を設けた場合、ポンプの作動により該逆止弁に過剰な水圧が加えられることはなく、給湯路の上流へ向かっての湯水の逆流を確実に回避できる。また、給湯路の水抜き時にポンプを作動させて該給湯路の湯水を浴槽へ排出させることにより、給湯路に残っている湯水を確実に排出することができる。
【０００９】
前記構成の追焚付給湯装置においては、ポンプを給湯装置から浴槽への給湯中に作動させるとよい。ポンプの作動により、浴槽への給湯時に湯は給湯路のみならず追焚路にも流れるので、エアかみが起こらずに追焚時にポンプを正常に作動させることができる。
【００１１】
【発明の実施の形態】
次に、本発明の追焚付給湯装置の実施形態について図面を用いて説明する。図１は本発明の追焚付給湯装置の説明的構成図である。
【００１２】
図１に示した本発明の追焚付給湯装置おいて、１は給湯を行う給湯装置、２は給湯装置１から供給され浴槽３に貯められた湯を昇温させる追焚装置である。給湯装置１及び追焚装置２は図示しないコントローラにより制御される。
【００１３】
給湯装置１において、４は水が供給される給水路、５は給湯バーナ６により加熱されて給水路４からの水を昇温させる給湯熱交換器、７は給湯熱交換器５からの湯を浴槽３まで供給する給湯路、８は給水路４からの水の一部を給湯路７へ混合させるバイパス路、９は給湯バーナ６へのガスが供給される給湯ガス供給路である。
【００１４】
給水路４には給水量を検出する水量センサ１０と、その開度を調節して給水量を調節する水量調節弁１１とが設けられている。給湯熱交換器５には、イグナイタ１２を介して高電圧がかけられて給湯バーナ６への点火を行う給湯点火プラグ１３と、該給湯バーナ６に燃焼用空気を供給する給湯ファン１４と、該給湯バーナ６の燃焼状態を検出する給湯フレームロッド１５とが設けられている。給湯路７にはバイパス路８との合流位置より下流においてシャワー給湯路１６が分岐して設けられている。給湯路７にはシャワー給湯路１６との分岐位置に、バイパス路８との合流位置より下流の給湯温度を検出する給湯温度センサ１７が設けられている。給湯路７にはその開閉を行う給湯電磁弁１８と、給湯路７の上流への湯水の逆流を防止する逆止弁１９と、給湯量を検出する湯量センサ２０とが設けられている。シャワー給湯路１６には、給湯路７の湯水を排出するための排水口２１と、使用者により開閉される給湯栓２２と、湯をシャワー状にして供給するシャワーヘッド２３とが設けられている。バイパス路８にはその開度を調節するバイパス電磁弁２４が設けられている。給湯ガス供給路９には給湯バーナ６へのガス供給量を調節する給湯ガス比例弁２５と、給湯ガス電磁弁２６とが設けられている。
【００１５】
追焚装置２において、２７は湯量センサ２０より下流において給湯路７から分岐して浴槽３に連通して設けられた追焚路、２８は追焚路２７に設けられ給湯路７との分岐位置側から湯を吸入してこの湯を浴槽３側へ排出するポンプ、２９はポンプ２８より下流の追焚路２７に設けられ風呂バーナ３０により加熱されて追焚路２７を流れる湯水を昇温させる風呂熱交換器（追焚熱交換器）、３１は風呂バーナ３０へのガスが供給される風呂ガス供給路である。
【００１６】
追焚路２７には、ポンプ２８が浴槽３から追焚路２７にくみ上げた湯の流れを検出する風呂水流スイッチ３２、この湯の温度を検出する風呂温度センサ３３が設けられている。風呂熱交換器２９には、イグナイタ１２を介して高電圧がかけられて風呂バーナ３０への点火を行う風呂点火プラグ３４と、風呂バーナ３０に燃焼用空気を供給する風呂ファン３５と、風呂バーナ３０の燃焼状態を検出する風呂フレームロッド３６とが設けられている。風呂ガス供給路３１には風呂バーナ３０へのガス供給量を調節する風呂ガス比例弁３７と、風呂ガス電磁弁３８とが設けられている。給湯ガス供給路９及び風呂ガス供給路３１は上流において１本のガス供給路になっており、この１本のガス供給路にはガス元電磁弁３９が設けられている。
【００１７】
前記構成の追焚付給湯装置の作動について説明する。浴槽３に給湯（湯張り）するとき、給湯電磁弁１８が開弁されて給水路４に水が供給される。水量センサ１０が水流を検出するとガス元電磁弁３９と、給湯ガス比例弁２５と、給湯ガス電磁弁２６とが開弁され、給湯バーナ６は給湯点火プラグ１３により点火され、給湯ファン１４により燃焼用空気が送られて燃焼状態となる。
【００１８】
コントローラ（図示せず）は、給湯温度センサ１７の出力に基づいてバイパス電磁弁２４、給湯ガス比例弁２５によりそれぞれバイパス路８の開度、給湯ガス供給路９の開度を調節する。これにより所定の給湯温度の湯が給湯路７を介して浴槽３に供給される。湯張りの途中でポンプ２８が作動され、給湯路７を流れてきた湯の一部は追焚路２７に分流して浴槽３へと至る。このとき風呂熱交換器２９は作動されていない。コントローラは湯量センサ２０の出力に基づいて浴槽３への給湯量を累積し、この給湯量が所定量となったときにガス元電磁弁３９と、給湯ガス比例弁２５と、給湯ガス電磁弁２６とが閉弁されて給湯バーナ６の燃焼が停止され、給湯電磁弁１８を閉弁して湯張りを終了させる。なお、使用者が給湯栓２２を開栓したときは、シャワー給湯路１６及びシャワーヘッド２３を介してシャワー状の湯が供給される。
【００１９】
追焚を行うときには、コントローラによりポンプ２８が作動され、浴槽３の湯を給湯路７の下流側から追焚路２７に汲み上げて風呂熱交換器２９へと送り込む。風呂水流スイッチ３２が追焚路２７の水流を検出すると元電磁弁３９と、風呂ガス電磁弁３８と、風呂ガス比例弁３７とが開弁され、風呂バーナ３０は風呂点火プラグ３４により点火され、風呂ファン３５に燃焼用空気が送られて燃焼状態になる。コントローラは風呂温度センサ３３の出力に基づいて風呂ガス比例弁３７により風呂ガス供給路３１の開度を調節し、所定の追焚温度の湯が追焚路２７から浴槽３に供給されて追焚が行われる。追焚開始から一定時間が経過すると元電磁弁３９と、風呂ガス電磁弁３８と、風呂ガス比例弁３７とが閉弁され、風呂ファン３５が停止して風呂バーナ３０の燃焼が停止され、ポンプ２８も停止されて追焚が終了する。
【００２０】
給湯路７からの追焚路２７の分岐位置はポンプ２８の吸入側にある。このため、ポンプ２８を作動させたときに逆止弁１９に過剰な水圧が加わることはなく給湯路７の上流に向かっての湯水の逆流を確実に防止することができる。また、湯張り時にポンプ２８を作動させたときに湯は給湯路７のみならず追焚路２７にも流れるので、エアかみ（ポンプ２８の内部や排出先に湯水が満たされずにポンプ２８が正常に作動しない現象）が起こらずに追焚時にポンプ２８を正常に作動させることができる。
【００２１】
給湯路７の水抜きを行うときは、排水口２１を開けるとともに給湯電磁弁１８を開き、シャワー給湯路１６の給湯栓２２を閉じた状態でポンプ２８を作動させる。これにより、排水口２１から自然排出されずに給湯路７に残った水を浴槽３に強制的に排出させることができる。
【図面の簡単な説明】
【図１】本発明の追焚付給湯装置の説明的構成図
【図２】従来の追焚付給湯装置の説明的構成図
【符号の説明】
１‥給湯装置、２‥追焚装置、３‥浴槽、７‥給湯路、２７‥追焚路、２８‥ポンプ、２９‥風呂熱交換器（追焚熱交換器）
【図１】
0003667973.tif 000002
【図２】
0003667973.tif 000003